(57)【要約】【課題】編集希望のオーディオファイルの編集中にも、該ファイルの再生を継続させ、編集作業を能率化させるとともに、楽しくさせる。【解決手段】所望のファイルの再生中に、ユーザは編集キーを押下する。これにより、該ファイルについての編集モードとなる。編集モードは、編集内容を確定する編集実行キーが押下され時（Ｓ６０）、又はキャンセルキーが押下された時（Ｓ６４）に終了する。編集モード期間は、それが終了するまで、編集対象ファイルの楽曲が再生され（Ｓ６６，Ｓ６７）、ユーザは、編集対象楽曲について、その再生音を聴きながら、編集することができる。【選択図】図４
2008210466.tif 000002
【特許請求の範囲】
【請求項１】
コンテンツについての編集モード期間を検出する編集モード期間検出手段、
現在の編集対象コンテンツを検出する編集対象コンテンツ検出手段、及び
編集モード期間において前記編集対象コンテンツを再生する編集対象コンテンツ再生手段、
を備えることを特徴とするコンテンツ編集装置。
【請求項２】
前記編集モード期間の開始は、前記コンテンツを再生している期間における再生中コンテンツの再生期間におけるユーザからの編集モード開始指示の検出時とし、
前記編集対象コンテンツは、ユーザからの編集モード開始指示の検出時に再生しているコンテンツとすることを特徴とする請求項１記載のコンテンツ編集装置。
【請求項３】
前記編集対象コンテンツ再生手段は、前記編集モード期間中、前記編集対象コンテンツを繰り返し、再生するものであることを特徴とする請求項２記載のコンテンツ編集装置。
【請求項４】
前記編集対象コンテンツ再生手段による前記編集モード期間中の前記編集対象コンテンツについての繰り返し再生範囲は、前記編集対象コンテンツについての部分再生範囲、又は前記編集対象コンテンツについての全範囲であることを特徴とする請求項３記載のコンテンツ編集装置。
【請求項５】
コンテンツについての編集モード期間を検出するステップ、
現在の編集対象コンテンツを検出するステップ、及び
編集モード期間において前記編集対象コンテンツを再生するステップ、
を備えることを特徴とするコンテンツ編集方法。
【請求項６】
請求項１〜４のいずれかに記載のコンテンツ編集装置の各手段としてコンピュータを機能させるためのプログラム。
【発明の詳細な説明】
【技術分野】
【０００１】
本発明は、オーディオファイル等のコンテンツについて所定の編集を行うコンテンツ編集装置、方法及びプログラムに関するものである。
【背景技術】
【０００２】
オーディオ装置により再生される楽曲において、記録メディアに記録されている楽曲をユーザが編集を希望することがある。例えば、再生中の楽曲やイントロ再生機能を用いて記録メディア内の楽曲を再生し、再生希望の楽曲が再生されると、編集キーを操作して、該楽曲についての編集を開始するようになっている。
【０００３】
特許文献１においては、楽曲データのタイトルをユーザの好みに応じて編集表示する楽曲再生装置が開示されている。該楽曲再生装置では、ユーザが再生中の楽曲について文字情報の入力を希望するユーザ指示を出すと、該楽曲の再生は一時停止状態になり、文字情報の入力期間は継続的な再生停止状態に維持され、文字情報の入力が終了してから該楽曲の再生が再開されるようになっている（特許文献１の図４のフローチャートのＳ１１→Ｓ１１→Ｓ１２→・・・Ｓ１５→・・・Ｓ１８）。
【特許文献１】特開２００１−１１７５４３号公報
【発明の開示】
【発明が解決しようとする課題】
【０００４】
従来のオーディオ装置では、通常の再生やイントロ再生などの再生により所望の楽曲を探し出して、該楽曲についての編集モードに入ると、該楽曲の再生は終了する。したがって、ユーザは、該楽曲についての編集中、該楽曲の再生音を聞くことができず、編集途中で、編集対象楽曲の確認をすることができないために、間違った編集を行なったりすることが起き易い。また、編集対象楽曲を聴きたいというユーザ要望が満たされないでいる。
【０００５】
従来のオーディオ装置では、通常の再生やイントロ再生からの編集モード指示による編集モード期間だけでなく、ユーザが、オーディオファイルを名称や番号等により直接指定して、該オーディオファイルを編集する通常の編集モード期間にも、編集対象楽曲の再生音は流されていない。したがって、通常の編集モード期間においても、イントロ再生からの編集モード指示による編集モード期間と同様の問題が起きている。
【０００６】
本発明の目的は、編集モード時に楽曲の確認が可能なコンテンツ編集装置、方法及びプログラムを提供することである。
【課題を解決するための手段】
【０００７】
本発明によれば、編集モード期間に、編集対象コンテンツを再生する。
【０００８】
本発明のコンテンツ編集装置は次の手段を備えている。
コンテンツについての編集モード期間を検出する編集モード期間検出手段、
現在の編集対象コンテンツを検出する編集対象コンテンツ検出手段、及び
編集モード期間において編集対象コンテンツを再生する編集対象コンテンツ再生手段。
【０００９】
本発明のコンテンツ編集方法は次のステップを備えている。
コンテンツについての編集モード期間を検出するステップ、
現在の編集対象コンテンツを検出するステップ、及び
編集モード期間において編集対象コンテンツを再生するステップ。
【００１０】
本発明のプログラムは、本発明の上述のコンテンツ編集装置の各手段としてコンピュータを機能させる。
【発明の効果】
【００１１】
本発明によれば、編集モード期間、編集対象コンテンツの再生が行われているので、ユーザは、編集対象楽曲の確認をすることができないために、間違った編集を行ったりする事態を防止することができる。また、ユーザは、編集対象コンテンツの再生を楽しみながら、コンテンツの編集を行なうことができる。
【発明を実施するための最良の形態】
【００１２】
以下、図面を参照して、最良の形態等について説明する。なお、「イントロ再生」と「イントロの再生」とを区別して使用している。「イントロの再生」とは、１つの楽曲について、そのイントロ部分を再生することを意味し、「イントロ再生」とは、複数の楽曲について、所定の順番で各楽曲のイントロ部分を再生することを意味するものとする。
【００１３】
図１はシステムコンポ１０の構成図である。セレクター１１は、システムマイコン１４からの制御信号に基づきＣＤメカ部１２及びアナログ入力端子１３からのアナログ信号の一方を選択して、ＡＤＣ２１へ出力する。ＣＤメカ部１２は、それへ装填されたＣＤから読み出したデータを、デジタル信号としてＤＳＰ２２へ送るとともに、アナログ信号としてセレクター１１へ送る。ＡＤＣ２１は、セレクター１１からのアナログ信号をデジタル信号へ変換して、ＤＳＰ２２へ出力する。
【００１４】
表示部１５は、システムマイコン１４からの表示データに基づきテキスト等の情報を表示する。操作部１６は、種々のキーを装備し、ユーザ操作のあったキーに係る情報をシステムマイコン１４へ出力する。システムマイコン１４は、操作部１６及びＤＳＰ２２からの入力に基づき所定の処理を行うとともに、セレクター１１及び表示部１５へ制御信号を出力する。
【００１５】
ＤＳＰ２２は、外部ＲＡＭ２３を使用しつつ、エンコードやデコード等の種々の演算を実行する。システムコンポ１０は、メモリカード用スロット２４及びＵＳＢコントローラ２６を装備し、メモリカード２５及びＵＳＢメモリ２７が、それぞれメモリカード用スロット２４及びＵＳＢコントローラ２６へ着脱自在に装着されるようになっている。メモリカード２５は、例えば、ＳＤカードやメモリスティックである。
【００１６】
装着中のメモリカード２５及びＵＳＢメモリ２７に格納されているＭＰ３やＷＭＡ等のオーディオファイル（典型的には楽曲ファイル）は、そのデータをＤＳＰ２２により読み出されて、デコードされ、ＤＡＣ３１へ送られる。ＤＡＣ３１は、デジタルのオーディオ信号をアナログのオーディオ信号へ変換する。ＤＡＣ３１からのアナログのオーディオ信号は、アンプ部３２において増幅されてから、スピーカ３３へ送られ、スピーカ３３において対応のオーディオへ変換されて、出力される。
【００１７】
ＵＳＢコントローラ２６には、ＵＳＢメモリ２７に代えて、ＵＳＢケーブルの親側のコネクタを接続することもできる。これにより、携帯型デジタルオーディオプレーヤ等がＵＳＢケーブルを介してシステムコンポ１０へ適宜接続される。システムコンポ１０は、ハードディスクを内蔵していてもよい。メモリカード２５、ＵＳＢメモリ２７、内蔵ハードディスク及び携帯型デジタルオーディオプレーヤ内蔵のフラッシュメモリ等は、それ自体がデータを読み書き自在の記録メディアとなっているか、又は記録メディアを装備しているかしており、システムコンポ１０は、接続中、装着中、又は内蔵中の記録メディアに対して、イントロ再生及び編集を実施可能にしている。ここで、編集される楽曲ファイルは、イントロ再生によって検索された楽曲ファイルを対象として説明するが、楽曲ファイルの特定はこれに限らず、コンテンツ編集装置の表示部１５を用いて検索しても良い。
【００１８】
図２〜図６はイントロ再生制御方法４０のフローチャート全体を区分けして示したものである。該イントロ再生制御方法４０は図１のシステムコンポ１０に適用される。システムコンポ１０においてイントロ再生対象となる記録メディアは、メモリカード２５、ＵＳＢメモリ２７又は内蔵ハードディスク装置だけでなく、システムコンポ１０へケーブル又は無線で接続される携帯型デジタルオーディオプレーヤに内蔵又は着脱自在に装着される記録メディアであってもよい。
【００１９】
記録メディアの記録容量が大きくて、記録楽曲数が膨大となっている場合には、イントロ再生対象の記録メディアに記録されている全部の楽曲をイントロ再生対象とすることなく、ユーザ指定に基づき所定範囲、例えば、所定のフォルダ内の楽曲のみ、ファイル番号が所定範囲内となっている楽曲のみとかに絞ることも可能である。また、システムコンポ１０に対するユーザ操作は、システムコンポ１０の本体に配備されている操作部１６に限定されず、リモコンを介して実施してもよいとする。
【００２０】
イントロ再生制御方法４０では、ユーザは、所望の楽曲の再生音がスピーカ３３から流れると、確定キーを押下して（図３のＳ５０の正）、該楽曲についてそのイントロの再生に続いて該楽曲を最後まで再生したり、編集キーを押下して（図３のＳ５２の正）、該楽曲について、所定の編集（楽曲のファイルについてその削除や名称変更等）を行ったりできるようになっている。イントロ再生制御方法４０では、また、ユーザが楽曲を編集している期間、その終了時まで、該楽曲について再生音をスピーカ３３から流し続けるようになっている（図４のＳ６６→Ｓ６７→Ｓ６０《又はＳ６６→Ｓ６０》→Ｓ６４→Ｓ６６）。編集対象楽曲についてのユーザの編集作業が長引いて、編集中の楽曲が最後まで再生された場合には、該楽曲の先頭に戻り、該楽曲についての再生が繰り返されるようになっている（図４のＳ６６→Ｓ６７）。
【００２１】
図２のフローチャート区分において、Ｓ４１では、ユーザがイントロ再生キーを入力（操作）したか否かを判定し、入力があると、Ｓ４２へ進む。Ｓ４２では、再生メディア（イントロ再生を行う記録メディア）があるか否かを判定し、あれば、Ｓ４３へ進み、なければ、Ｓ４１へ戻る。なお、イントロ再生の候補となる記録メディアが複数存在する場合には、今回のイントロ再生メディアをどれにするかをユーザに選択させることができる。
【００２２】
Ｓ４３では、イントロ再生の再生順番を決めるファイル配置のデータを記録メディアから読み込み、読み込みが完了しだい、Ｓ４４へ進む。イントロ再生における楽曲の再生順番は、例えば、各ファイルのアドレス順とする。記録メディアにおけるフォルダがツリー構造になっている場合には、例えば、幅優先でフォルダを並べて、その並び順に基づき、決めることもできる。幅優先に代えて、深さ優先に基づき再生順を決めることもできる。
【００２３】
図３のフローチャート区分において、Ｓ５０では、確定キーに対するユーザ操作が行われたか否かを判定し、判定が正であれば、Ｓ５１へ進み、否であれば、Ｓ５２へ進む。確定キーは、ユーザが、現在、イントロ再生中のイントロ再生について、その全部の再生を希望するときに、操作するものである。Ｓ５２では、確定キー操作時に音を流している楽曲について、そのイントロの再生に続いて該楽曲の再生を継続する。
【００２４】
Ｓ５２では、編集キーに対するユーザ操作が行われたか否かを判定し、判定が正であれば、Ｓ５３へ進んで、編集モードが開始され、否であれば、Ｓ５４へ進む。Ｓ５４では、現在、音をスピーカ３３から流している楽曲についての再生時間が一定時間に達したか否かを判定し、判定が正であれば、該楽曲についてのイントロの再生は終了したとして、Ｓ７０（図５）へ進み、否であれば、Ｓ５０へ戻って、該楽曲についてのイントロの再生を継続する。
【００２５】
図４のフローチャート区分において、Ｓ６０では、編集実行キーに対するユーザ操作が行われたか否かを判定し、判定が正であれば、Ｓ６１へ進み、否であれば、Ｓ６４へ進む。編集実行キーは、ユーザが、編集対象の楽曲に対して行った編集内容を確定する時に押下するものである。Ｓ６１では、イントロの再生を行っているコンテンツの編集を行うため、イントロ再生を停止する。
【００２６】
Ｓ６２では、Ｓ６０で編集内容の確定を行った楽曲（各楽曲は記録メディアではオーディオファイルとして記録されている。）のファイル番号（ファイルＮｏ．）を記憶する。説明の便宜上、該ファイル番号＝ｎとする。このファイル番号＝ｎは後述のＳ８１，Ｓ８６，Ｓ８８，Ｓ９０（図６）等で利用される。Ｓ６３では、確定した編集内容を記録メディアに記録する。
【００２７】
Ｓ６４では、編集キャンセルキーに対するユーザ操作が行われたか否かを判定し、判定が正であれば、Ｓ６５へ進み、否であれば、Ｓ６６へ進む。ユーザは、Ｓ５２で編集キーを押下した後、該当楽曲についての編集を破棄したり、編集無しとして、元のイントロ再生に戻りたい場合には、編集キャンセルキーを押下する。
【００２８】
Ｓ６５では、編集キャンセルキーの押下時に再生中の楽曲について、その一定時間再生、すなわちそのイントロの再生が終了しているか否かを判定し、判定が正であれば、Ｓ７０（図５）へ進み、否であれば、Ｓ５０へ戻る。一定時間とは例えば５〜１５秒の範囲内である。
【００２９】
Ｓ６６では、オーディオファイル（楽曲）の最後まで再生されたか否かを判定し、判定が正であれば、Ｓ６７へ進み、否であれば、Ｓ６０へ戻る。Ｓ６７では、現在再生中のオーディオファイル（楽曲）の頭へ戻り、該ファイルについての再生を繰り返す。前述したように、該イントロ再生制御方法４０では、ユーザが、楽曲の編集中、該楽曲が再生されて、ユーザは、該楽曲を聴取しながら、該楽曲を編集することができる。また、該楽曲の再生は、イントロの部分だけでなく、楽曲の先頭から後尾まで行われる。さらに、該楽曲についてのユーザ編集が長引いて、該楽曲の最後まで再生した場合には、該楽曲の先頭へ戻って、再生が継続する。
【００３０】
図５のフローチャート区分において、Ｓ７０では、Ｓ６５（図４）でイントロの再生を終了したオーディオファイルがイントロ再生順番における最終ファイルであるか否かを判定し、判定が正であれば、イントロ再生を停止する。また、Ｓ７０の判定が否であれば、Ｓ７２へ進んで、次のオーディオファイルのイントロの再生を開始する。
【００３１】
図６のフローチャート区分において、Ｓ７８では、イントロ再生における楽曲の再生順番を決めるデータを記録メディアから読み込み（リードし）、読込みが完了したか否かをＳ７９で判定し、判定が正になりしだい、Ｓ８０へ進む。Ｓ７８，Ｓ７９により、イントロ再生における楽曲の再生順番が更新される。更新の理由は、編集には、オーディオファイルの削除（Ｓ８０）、結合（Ｓ８７）又は分割（Ｓ８９）等、イントロ再生の楽曲の総数やファイル番号変更を伴うものが含まれ、更新しないと、Ｓ８１，Ｓ８６，Ｓ８８，Ｓ９０で開始楽曲を決めるときに、開始楽曲が不適切なり、これを防止するためである。イントロ再生制御方法４０では、図４のＳ６０→・・・→Ｓ６３から理解できるように、各オーディオファイルの編集が終了するごとに、その編集内容を記録メディアに記録している。この結果、Ｓ７８で、記録メディアからイントロ再生の再生順を決めるデータを再読み込みすることにより、編集終了後のイントロ再生において、楽曲の再生開始及びその後の再生順番が適切なものとなる。
【００３２】
Ｓ８０では、ユーザが図３のＳ５３の編集モードで行った編集の種類がファイルの削除であったか否かを判定し、判定が正であれば、Ｓ８１へ進んで、ファイル番号＝ｎのファイルに対応する楽曲からイントロ再生を開始する。ファイルの削除により該ファイルに割り当てられていたファイル番号（＝ｎ）は、該ファイルに対して次のファイルのものとなり、次の楽曲からイントロ再生が開始される。Ｓ８０の判定が否であれば、Ｓ８５へ進む。
【００３３】
Ｓ８５では、ユーザが図３のＳ５３の編集モードで行った編集の種類がファイル名の変更であったか否かを判定し、判定が正であれば、Ｓ８６へ進んで、ファイル番号＝ｎ＋１のファイルに対応する楽曲からイントロ再生を開始する。この場合、ファイル番号＝ｎ＋１のファイルは、Ｓ５３で編集したファイルに対して次のファイルとなり、次の楽曲からイントロ再生が開始される。Ｓ８５の判定が否であれば、Ｓ８７へ進む。
【００３４】
Ｓ８７では、ユーザが図３のＳ５３の編集モードで行った編集の種類がファイルの結合であったか否かを判定し、判定が正であれば、Ｓ８８へ進んで、ファイル番号＝ｎ＋１のファイルに対応する楽曲からイントロ再生を開始する。もし、Ｓ５３の編集モードでファイル番号＝ｎのファイル番号とファイル番号＝ｎ＋１のファイル番号とが結合されたならば、ファイル番号＝ｎ＋１のファイルとは、Ｓ５３で編集したファイルに対して次の次のファイルとなり、次の次の楽曲からイントロ再生が開始される。Ｓ８７の判定が否であれば、Ｓ８９へ進む。
【００３５】
Ｓ８９では、ユーザが図３のＳ５３の編集モードで行った編集の種類がファイルの分割であったか否かを判定し、判定が正であれば、Ｓ９０へ進んで、ファイル番号＝ｎ＋２のファイルに対応する楽曲からイントロ再生を開始する。分割後の２個のファイルは、それぞれ前側及び後ろ側のファイルの番号はそれぞれｎ，ｎ＋１となるので、ファイル番号＝ｎ＋２のファイルとは、Ｓ５３で編集したファイルに対して次の次のファイルとなり、こうして、結合により生じたファイルに対してその次のファイルからイントロ再生が開始される。Ｓ８９の判定が否であれば、Ｓ５０へ戻る。Ｓ８９の判定が否とは、ユーザがＳ５２（図３）で編集キーを押下し、かつＳ６０（図４）で編集実行キーを押下しているものの、編集を行わなかったことを意味する。
【００３６】
図７はイントロ再生制御方法１００のフローチャートの主要部を示している。イントロ再生制御方法１００における図７のフローチャート部分は、イントロ再生制御方法４０における図４のフローチャート部分に対応するものであり、イントロ再生制御方法１００における他のフローチャート部分は、イントロ再生制御方法４０における図４を除く図２〜図６のフローチャート部分と同一である。イントロ再生制御方法１００において、イントロ再生制御方法４０のステップと同一処理内容のステップは同一ステップ番号で指示して、説明は省略し、イントロ再生制御方法４０に対する相違点についてのみ説明する。
【００３７】
イントロ再生制御方法１００では、イントロ再生制御方法４０のＳ６６，Ｓ６７（図４）がＳ１０１，Ｓ１０２に置き換えられている。イントロ再生制御方法４０，１００では、共に、ユーザがファイルを編集中、該ファイルの楽曲の再生音がスピーカ３３より流れるようになっているが、イントロ再生制御方法４０では、該楽曲は、該楽曲の最後まで流して、最後に達したら、頭へ戻して再生を継続するのに対し、イントロ再生制御方法１００では、該楽曲のイントロ部分のみの再生を繰り返すようになっている。
【００３８】
Ｓ１０１では、現在再生中の楽曲の一定時間再生（イントロの再生）が終了したか否かを判定し、判定が正であれば、Ｓ１０２へ進み、否であれば、Ｓ６０へ戻る。Ｓ１０２では、現在再生中のオーディオファイルの先頭へ戻り、該ファイルについての再生を繰り返す。
【００３９】
図８はイントロ再生制御方法１１０のフローチャートの主要部を示している。イントロ再生制御方法１１０における図８のフローチャート部分は、イントロ再生制御方法４０における図６のフローチャート部分に対応するものであり、イントロ再生制御方法１１０における他のフローチャート部分は、図２〜図５のフローチャート部分と同一である。イントロ再生制御方法１１０において、イントロ再生制御方法４０のステップと同一処理内容のステップは同一ステップ番号で指示して、説明は省略し、イントロ再生制御方法４０に対する相違点についてのみ説明する。
【００４０】
イントロ再生制御方法１１０では、イントロ再生制御方法４０のＳ８６，Ｓ８８，Ｓ９０（図６）がＳ１１１，Ｓ１１２，Ｓ１１３に置き換えられている。イントロ再生制御方法４０のＳ８６，Ｓ８８，Ｓ９０では、いずれも編集を終了した楽曲の次の楽曲からイントロ再生が開始されたのに対し、Ｓ１１１，Ｓ１１２，Ｓ１１３では、イントロ再生が、いずれもファイル番号＝ｎのファイルの楽曲、すなわち編集を終了した楽曲から開始される。
【００４１】
Ｓ１１１では、名称を変更したファイルの楽曲からイントロ再生を再開する。Ｓ１１２では、結合したファイルからイントロ再生を再開する。Ｓ１１３では、分割したファイルからイントロ再生を再開する。分割前にファイル番号＝ｎのファイルは、分割後では、前側及び後ろ側ファイル部分はそれぞれファイル番号＝ｎ、ｎ＋１となるので、Ｓ１１３では、前側ファイル部分からイントロ再生が再開される。Ｓ１１３では、イントロ再生＝ｎ＋１、すなわち後ろ側ファイルからイントロ再生を開始するようにしてもよい。
【００４２】
図９はコンテンツ編集装置１３０のブロック図である。コンテンツ編集装置１３０の一例は前述のシステムコンポ１０（図１）である。コンテンツ編集装置１３０におけるコンテンツは、オーディオに限定されず、ビデオやその他の再生自在な任意のコンテンツであってよいとする。該コンテンツは典型的にはＭＰ３やＷＭＡのようなデジタルコンテンツである。コンテンツ編集装置１３０は、据置き型又は携帯型オーディオ装置の他、据置き型又は携帯型ビデオ装置、携帯電話機又はＰＤＡ等の情報処理装置であってよい。
【００４３】
コンテンツ編集装置１３０は、編集モード期間検出手段１３１、編集対象コンテンツ検出手段１３２及び編集対象コンテンツ再生手段１３３を備えている。編集モード期間検出手段１３１は、コンテンツについての編集モード期間を検出する。編集対象コンテンツ検出手段１３２は、現在の編集対象コンテンツを検出する。編集対象コンテンツ再生手段１３３は、編集モード期間において編集対象コンテンツを再生する。
【００４４】
典型的には、編集モード期間の開始は、コンテンツを再生している期間におけるユーザからの編集モード開始指示の検出時とし、編集対象コンテンツは、ユーザからの編集モード開始指示の検出時に再生しているコンテンツとする。コンテンツを再生している期間には、複数のコンテンツを順番に部分再生するスキャン再生期間だけでなく、スキャン再生ではない通常の再生の期間も含まれる。
【００４５】
なお、スキャン再生はイントロ再生に限定されない。スキャン再生において、各コンテンツが再生される部分は各コンテンツのイントロ部分以外の中間部分、末尾部分又はサビ部分であってもよいとする。
【００４６】
コンテンツ編集装置１３０における編集モード期間は、スキャン再生とは無関係に、開始されたものであってもよい。すなわち、例えば、ユーザは、編集希望のコンテンツをスキャン再生から探索することなく、例えばファイル番号を指定したり、リストから選択して、該コンテンツについての編集モードへ入ることができる。
【００４７】
スキャン再生からの編集モード移行の場合の編集モード期間検出手段１３１の機能に対応する、イントロ再生制御方法４０の具体的処理は、Ｓ５２（図３）及びＳ６０，Ｓ６４（図４）である。また、編集対象コンテンツ検出手段１３２の機能に対応する具体的処理は、Ｓ５２（図３）及びＳ６０，Ｓ６４（図４）である。Ｓ５２は、編集モード期間の開始時に対応し、Ｓ６０，Ｓ６４は編集モード期間の終了時に対応する。編集対象コンテンツ再生手段１３３の機能に対応する具体的処理は、Ｓ６６，Ｓ６７（図４）及びＳ１０１，Ｓ１０２（図７）である。
【００４８】
好ましくは、編集対象コンテンツ再生手段１３３は、編集モード期間中、その終了まで、編集対象コンテンツを繰り返し、再生するものである。編集対象コンテンツ再生手段１３３についての該機能に対応する具体的処理は、図４のＳ６６．Ｓ６７又は図７のＳ１０１，Ｓ１０２である。
【００４９】
典型的には、編集対象コンテンツ再生手段１３３による編集モード期間中の編集対象コンテンツについての繰り返し再生範囲は、対象コンテンツについての部分再生範囲、又は前記編集対象コンテンツについての全範囲である。対象コンテンツについての部分再生範囲は、例えばスキャン再生における編集対象コンテンツについての部分再生範囲に一致している。前者の機能に対応する具体的処理は図７のＳ１０１，Ｓ１０２であり、後者の機能に対応する具体的処理は図４のＳ６６．Ｓ６７である。
【００５０】
スキャン再生における再生速度は１倍速に限定されず、それより速めることも遅めることもできる。コンテンツの編集とは、例えば、コンテンツのファイルについて、その削除、名称変更、結合又は分割である。
【００５１】
コンテンツ編集装置１３０では、ユーザは、編集対象コンテンツが再生されている中、該編集対象コンテンツについて、編集するようになっているので、編集対象コンテンツが何であるかを忘れたり、間違ったりするのが抑制され、この結果、能率的かつ適切な編集を行うことができる。また、編集対象コンテンツが再生されているので、楽しみながら、編集作業を行うことができる。
【００５２】
図１０はコンテンツ編集方法１５０のフローチャートである。コンテンツ編集方法１５０はコンテンツ編集装置１３０に適用される。Ｓ１５１では、コンテンツについての編集モード期間を検出する。具体的には、現在がコンテンツについての編集モード期間であるか否かを判定し、判定が正であれば、Ｓ１５２へ進み、否であれば、コンテンツ編集方法１５０を終了する。
【００５３】
Ｓ１５２では、現在の編集対象コンテンツを検出する。Ｓ１５３では、編集モード期間において編集対象コンテンツを再生する。
【００５４】
Ｓ１５１，Ｓ１５２，Ｓ１５３の処理はそれぞれコンテンツ編集装置１３０の編集モード期間検出手段１３１、編集対象コンテンツ検出手段１３２及び編集対象コンテンツ再生手段１３３の機能にそれぞれ対応する。したがって、コンテンツ編集装置１３０における編集モード期間検出手段１３１、編集対象コンテンツ検出手段１３２及び編集対象コンテンツ再生手段１３３の機能について述べた具体的態様は、コンテンツ編集方法１５０におけるＳ１５１，Ｓ１５２，Ｓ１５３の処理についての具体的態様としても適用可能である。
【００５５】
本発明を適用したプログラムは、コンピュータをコンテンツ編集装置１３０の各手段として機能させる。本発明を適用した別のプログラムは、コンテンツ編集方法１５０の各ステップをコンピュータに実行させる。
【００５６】
本発明を最良の形態について説明したが、本発明は、これに限定されるものではなく、発明の要旨を逸脱しない範囲で最良の形態における各構成要素を変形して具体化できる。また、最良の形態に開示されている複数の構成要素の便宜な組み合わせにより、種々の発明を形成できる。本明細書が開示する発明には、最良の形態に示される全構成要素からいくつかの構成要素を削除したり、異なる最良の形態に係る構成要素同士を組み合わせたものも含まれる。
【図面の簡単な説明】
【００５７】
【図１】オーディオシステムコンポの構成図である。
【図２】イントロ再生制御方法の第１部分のフローチャートである。
【図３】イントロ再生制御方法の第２部分のフローチャートである。
【図４】イントロ再生制御方法の第３部分のフローチャートである。
【図５】イントロ再生制御方法の第４部分のフローチャートである。
【００５８】
【図６】イントロ再生制御方法の第５部分のフローチャートである。
【図７】別のイントロ再生制御方法のフローチャートの主要部を示す図である。
【図８】さらに別のイントロ再生制御方法のフローチャートの主要部を示す図である。
【図９】コンテンツ編集装置のブロック図である。
【図１０】コンテンツ編集方法のフローチャートである。
【符号の説明】
【００５９】
１３０：コンテンツ編集装置、１３１：編集モード期間検出手段、１３２：編集対象コンテンツ検出手段、１３３：編集対象コンテンツ再生手段、１５０：コンテンツ編集方法。
【図１】
2008210466.tif 000003
【図２】
2008210466.tif 000004
【図３】
2008210466.tif 000005
【図４】
2008210466.tif 000006
【図５】
2008210466.tif 000007
【図６】
2008210466.tif 000008
【図７】
2008210466.tif 000009
【図８】
2008210466.tif 000010
【図９】
2008210466.tif 000011
【図１０】
2008210466.tif 000012